(57)【要約】【課題】身障者又は中腰の介助者による水栓レバーの揺動操作を簡単に行うことができる水栓装置を提供する。【解決手段】吐水部からの吐水及び吐水停止を行う弁手段の開閉量を操作する水栓レバー１５を、水栓装置本体１０に支点１４を介して揺動自在に支持する。水栓レバー１５は、前後方向に長い板状に形成され、支点１４に対し前後方向の中途部で支持するとともに、支点１４よりも前側の前側操作部１６と、支点１４よりも後側の後側操作部１７とを備える。後側操作部１７を下方に揺動操作した際に弁手段を開放して吐水部１１からの吐水を行う一方、前側操作部１６を下方に揺動操作した際に弁手段を閉止して吐水部１１からの吐水停止を行うとともに、両操作部１６，１７の揺動操作量に応じて弁手段の開放量を調整して吐水部１１からの吐水量を調整している。【選択図】図３
2015094156.tif 000002
【特許請求の範囲】
【請求項１】
水栓装置本体に設けられ、吐水部からの吐水及び吐水停止を開閉量に応じて行う弁手段と、前記水栓装置本体に支点を介して揺動自在に支持され、前記弁手段の開閉量を操作する水栓レバーとを備えた水栓装置であって、
前記水栓レバーは、
前後方向に長い板状に形成され、
前記支点に対し前後方向の中途部が支持されているとともに、
前記支点よりも長手方向前側に位置する前側操作部と、前記支点よりも長手方向後側に位置する後側操作部とを備え、
前記前側操作部及び前記後側操作部のいずれか一方を手動により下方に揺動操作した際に前記弁手段を開放して前記吐水部からの吐水が行える一方、他方を手動により下方に揺動操作した際に前記弁手段を閉止して前記吐水部からの吐水停止が行えるとともに、前記前側操作部及び前記後側操作部の下方への揺動操作量に応じて前記弁手段の開放量を調整して前記吐水部からの吐水量が調整されることを特徴とする水栓装置。
【請求項２】
前記水栓レバーは、その前後方向中間部が前記支点に対し支持されている請求項１に記載の水栓装置。
【請求項３】
前記水栓レバーと前記吐水部とは、互いに左右方向へ離間した位置に設けられている請求項１又は請求項２に記載の水栓装置。
【請求項４】
前記水栓レバーの上面は、前記水栓装置本体の上面よりも高所に位置している請求項１〜請求項３のいずれか１つに記載の水栓装置。
【請求項５】
前記後側操作部は、前記前側操作部よりも高所に位置している請求項１〜請求項４のいずれか１つに記載の水栓装置。
【請求項６】
前記水栓レバーの上面が上方へ湾曲している請求項１〜請求項５のいずれか１つに記載の水栓装置。
【請求項７】
前記水栓レバーの上面が下方へ湾曲している請求項１〜請求項６のいずれか１つに記載の水栓装置。
【請求項８】
前記吐水部が複数設けられ、
前記弁手段が、前記複数の吐水部からの吐水及び吐水停止をそれぞれ独立して行うように複数設けられているとともに、
前記水栓レバーが、前記複数の弁手段の開閉量を個別に操作するように前記水栓装置本体に複数並設されている請求項１〜請求項７のいずれか１つに記載の水栓装置。
【請求項９】
前記複数の水栓レバー同士が、互いに左右方向へ離間して設けられている請求項８に記載の水栓装置。
【発明の詳細な説明】
【技術分野】
【０００１】
本発明は、浴室や洗面台に設置される水栓装置に関する。
【背景技術】
【０００２】
従来より、この種の水栓装置としては、水栓装置本体に設けられ、かつ吐水部からの吐水及び吐水停止を開閉量に応じて行う弁手段と、水栓装置本体に支点を介して揺動自在に支持され、弁手段の開閉量を操作する水栓レバーとを備えたものが知られている（特許文献１参照）。この水栓レバーは、水栓装置本体に対し前後方向の後端が支点を介して支持され、前側の操作部の下面に指先を下方から押し当てて上方に引き上げるように揺動操作した際に弁手段を開放して吐水部からの吐水が行える一方、操作部の上面に指先を上方から押し当てて下方に押し下げるように揺動操作した際に弁手段を閉止して吐水部からの吐水停止が行えるとともに、操作部の上方への押し上げ量又は下方への押し下げ量に応じて弁手段の開閉量を調整して吐水部からの吐水量が調整されるようになっている。
【０００３】
また、その他の水栓装置として、水栓装置本体に設けられ、かつ吐水部からの吐水及び吐水停止を開閉量に応じて行う弁手段と、水栓装置本体の上面に押し込み操作可能に設けられ、弁手段の開閉を操作する水栓釦とを備えたものもある（特許文献２参照）。この水栓釦は、押し込み操作により弁体を開放して吐水部からの吐水が行える一方、吐水時にさらなる押し込み操作により弁手段を閉止して吐水部からの吐水停止が行える。また、吐水部には、弁手段の開閉量を調整する流量調節手段が設けられ、この流量調節手段を操作することで、水栓釦の押し込み操作時に流量調整された吐水が吐水部から行われる。
【先行技術文献】
【特許文献】
【０００４】
【特許文献１】特許５３１４２６３号公報
【特許文献２】特許４３４５２７５号公報
【発明の概要】
【発明が解決しようとする課題】
【０００５】
ところが、前記従来の前者のものでは、水栓レバーの操作部に対し指先を下方又は上方から押し当てて水栓レバーの操作部を上方又は下方といった互いに異なる方向へ揺動操作することで、吐水部からの吐水及び吐水停止を行わなければならない。そのため、身障者の症状によっては、水栓レバーの操作部に対し指先を下方又は上方から押し当てていた手の平を反転させてから、水栓レバーの操作部に対し上方又は下方から押し当てて揺動操作するといった動作が煩わしく、当該操作部を上方又は下方といった互いに異なる方向へ揺動操作するのが困難なものとなる。しかも、介助者により水栓レバーの操作部を揺動操作する際にも、姿勢を中腰にした介助者が身障者を介助しながら、水栓レバーの操作部を上方又は下方といった互いに異なる方向へ揺動操作するのは困難を伴う。
【０００６】
一方、前記従来の後者のものでは、水栓釦を上方からの押し込み操作によって弁手段を開放又は閉止して吐水部からの吐水又は吐水停止が行えるものの、吐水部からの吐水の流量調整を吐水部の流量調節手段で行わなければならない。このため、身障者や介助者が、吐水部から吐水する際に、水栓釦の押し込み操作とは別に、流量調節手段による流量調整も行わなければならず、吐水時の２つの操作が非常に煩わしいものとなる。
【０００７】
本発明は、かかる点に鑑みてなされたものであり、その目的とするところは、水栓レバーを同じ方向から揺動操作するのみで吐水部からの吐水及び吐水停止並びに吐水量の流量調整を行えるようにし、身障者又は中腰の介助者による水栓レバーの揺動操作を簡単に行うことができる水栓装置を提供することにある。
【課題を解決するための手段】
【０００８】
前記目的を達成するため、本発明では、水栓装置本体に設けられ、かつ吐水部からの吐水及び吐水停止を開閉量に応じて行う弁手段と、前記水栓装置本体に支点を介して揺動自在に支持され、前記弁手段の開閉量を操作する水栓レバーとを備えた水栓装置を前提とする。更に、前記水栓レバーを、前後方向に長い板状に形成し、前記支点に対し前後方向の中途部を支持するとともに、前記支点よりも長手方向前側に位置する前側操作部と、前記支点よりも長手方向後側に位置する後側操作部とを設ける。そして、前記前側操作部及び前記後側操作部のいずれか一方を手動により下方に揺動操作した際に前記弁手段を開放して前記吐水部からの吐水を行う一方、他方を手動により下方に揺動操作した際に前記弁手段を閉止して前記吐水部からの吐水停止を行えるとともに、前記前側操作部及び前記後側操作部の下方への揺動操作量に応じて前記弁手段の開放量を調整して前記吐水部からの吐水量を調整することを特徴としている。
【０００９】
この特定事項により、前側操作部及び後側操作部のいずれか一方を上方から下方へ揺動操作した際に弁手段を開放して吐水部からの吐水が行え、他方を上方から下方へ揺動操作した際に弁手段を閉止して吐水部からの吐水停止が行えるとともに、前側操作部及び後側操作部の下方への揺動操作量に応じて弁手段の開放量を調整して吐水部からの吐水量を調整することで、水栓レバーの前側操作部及び後側操作部に対し互いに同じ方向となる上方向からの揺動操作によって吐水部からの吐水及び吐水停止並びに吐水量の流量調整が行われる。このため、水栓レバーの上面に手の平を載せた状態で、指先と手の平の手首寄りとを利用して前側操作部及び後側操作部が共に上方から操作される。これにより、手の平を反転させて水栓レバーを上下両方向から揺動操作するといった煩わしい動作が不要となり、身障者又は中腰の介助者による水栓レバーの揺動操作を簡単に行うことが可能となる。
【００１０】
また、前記水栓レバーの前後方向中間部を前記支点に対し支持していてもよい。
【００１１】
この場合には、水栓レバーの前側操作部及び後側操作部の前後方向の長さが同一となり、前側操作部及び後側操作部の揺動操作が同じ力で行える。これにより、身障者又は中腰の介助者による水栓レバーの揺動操作をより簡単に行うことができる。
【００１２】
また、前記水栓レバーと前記吐水部とを、互いに左右方向へ離間した位置に設けていてもよい。
【００１３】
この場合には、吐水部からの吐水を障害者が利用している場合に障害者と干渉しない左右方向から介助者が水栓レバーを揺動操作し易くなり、中腰の介助者による水栓レバーの操作性を高めることができる。
【００１４】
また、前記水栓レバーの上面を、前記水栓装置本体の上面よりも高所に位置させていてもよい。
【００１５】
この場合には、水栓レバーの前側操作部及び後側操作部の揺動操作が水栓装置本体と干渉することなく円滑に行うことができる。
【００１６】
また、前記後側操作部を、前記前側操作部よりも高所に位置させていてもよい。
【００１７】
この場合には、前側操作部よりも遠くなる後側操作部が揺動操作し易くなり、後側操作部の揺動操作を無理なく簡単に行うことができる。
【００１８】
また、前記水栓レバーの上面を上方へ湾曲させていてもよい。
【００１９】
この場合には、水栓レバーの上面が手の平に馴染み易くなり、指先と手の平の手首寄りとを利用して前側操作部及び後側操作部の下方への揺動操作をスムーズに行うことができる。
【００２０】
これに対し、前記水栓レバーの上面を下方へ湾曲させていてもよい。
【００２１】
この場合には、水栓レバーの前後両端の前側操作部及び後側操作部が水栓レバーの上面において当該両操作部の境目よりも操作し易い位置に露呈し、手の平以外の人体箇所での水栓レバーの揺動操作を簡単に行うことができる。
【００２２】
更に、前記吐水部を複数設け、前記弁手段を、前記複数の吐水部からの吐水及び吐水停止をそれぞれ独立して行うように複数設けるとともに、前記水栓レバーを、前記複数の弁手段の開閉量を個別に操作するように前記水栓装置本体に複数並設していてもよい。
【００２３】
この場合には、カラン用とシャワー用といった複数の吐水部からの吐水及び吐水停止並びに吐水量の流量調整をそれぞれ独立した水栓レバーの上面に手の平を載せた状態で、指先と手の平の手首寄りとを利用して前側操作部及び後側操作部が共に上方から操作される。これにより、いずれの水栓レバーにおいても、手の平を反転させて水栓レバーを上下両方向から揺動操作するといった煩わしい動作が不要となり、身障者又は中腰の介助者による水栓レバーの揺動操作を簡単に行うことができる。
【００２４】
また、前記複数の水栓レバー同士を、互いに左右方向へ離間して設けていてもよい。
【００２５】
この場合には、複数の吐水部から吐水及び吐水停止する際にそれぞれ独立した水栓レバーによる誤った揺動操作が防止され、複数の吐水部からの吐水及び吐水停止を円滑に行うことができる。
【発明の効果】
【００２６】
以上、要するに、前側操作部及び後側操作部を共に上方から下方へ揺動操作して吐水部からの吐水及び吐水停止を行うことで、水栓レバーの前側操作部及び後側操作部に対し上方向からの揺動操作によって吐水部からの吐水及び吐水停止並びに吐水量の流量調整を行える。これにより、水栓レバーの上面に手の平を載せた状態で、指先と手の平の手首寄りとを利用して前側操作部及び後側操作部が共に上方から操作でき、手の平の反転動作を伴う煩わしい動作を不要にして、身障者又は中腰の介助者による水栓レバーの揺動操作を簡単に行うことができる。
【図面の簡単な説明】
【００２７】
【図１】本発明の第１の実施の形態に係る水栓装置の斜視図である。
【図２】図１の水栓装置を前方から見た正面図である。
【図３】図１の水栓装置を右側方から見た側面図である。
【図４】図１の水栓装置を上方から見た平面図である。
【図５】本発明の第２の実施の形態に係る水栓装置の斜視図である。
【図６】図５の水栓装置を前方から見た正面図である。
【図７】図５の水栓装置を右側方から見た側面図である。
【図８】図５の水栓装置を上方から見た平面図である。
【図９】本発明の第３の実施の形態に係る水栓装置の斜視図である。
【図１０】図９の水栓装置を前方から見た正面図である。
【図１１】図９の水栓装置を右側方から見た側面図である。
【図１２】図９の水栓装置を上方から見た平面図である。
【図１３】本発明の実施の形態の変形例に係る水栓装置の斜視図である。
【図１４】本発明の実施の形態のその他の変形例に係る水栓装置の斜視図である。
【図１５】本発明の実施の形態のその他の変形例に係る水栓装置の斜視図である。
【発明を実施するための形態】
【００２８】
以下添付図面を参照しながら、本発明の実施の形態について説明し、本発明の理解に供する。なお、以下の実施の形態は、本発明を具体化した一例であって、本発明の技術的範囲を限定する性格のものではない。
【００２９】
図１は本発明の第１の実施の形態に係る水栓装置の斜視図、図２は水栓装置を前方から見た正面図、図３は水栓装置を右側方から見た側面図、図４は水栓装置を上方から見た平面図をそれぞれ示している。
【００３０】
図１〜図４において、１は水栓装置であって、この水栓装置１は、図示しない浴室の壁面より前方へ突出するカウンターＣの縦面Ｃａに取り付けられている。
【００３１】
水栓装置１は、前端部が断面略半円弧状に形成された薄箱状の水栓装置本体１０と、この水栓装置本体１０の前端部の左右方向中間位置より下方へ突出するカラン用の吐水部１１とを有している。また、水栓装置１は、水栓装置本体１０の左側面の前端部において左右方向へ延びる軸回りに回転操作される温度調節操作部１２を備え、この温度調節操作部１２の回転操作により温度調整された湯水が吐水部１１先端の吐水口１３から吐水される。
【００３２】
更に、水栓装置１は、吐水部１１からの吐水及び吐水停止を開閉量に応じて行う弁手段（図示せず）と、水栓装置本体１０に設けられた支点１４を介して揺動自在に支持され、弁手段の開閉量を操作する水栓レバー１５とを備えている。水栓レバー１５は、吐水部１１の上方に位置し、水栓装置本体１０の上面に設けられている。また、水栓レバー１５の上面は、水栓装置本体１０の上面よりも高所に位置している。そして、水栓レバー１５は、前後方向の長さＬが長尺（例えば１２０ｍｍ）に、左右方向の幅Ｍが短尺（例えば５０ｍｍ）にそれぞれ設定され、前後方向に長い板状に形成されている。また、水栓レバー１５は、その前後方向中途部の前側寄りの位置から下方へ突出する左右一対のブラケット１５１（図では一方のみ示す）を備え、この各ブラケット１５１を水栓装置本体１０の支点１４に対し前後揺動可能に支持している。更に、水栓レバー１５は、前後両端間において均一な角度で下方へなだらかに湾曲している。
【００３３】
水栓レバー１５は、支点１４よりも前側に位置する前側操作部１６と、支点１４よりも後側に位置する後側操作部１７とを備えている。水栓レバー１５は、後傾状態に傾斜して配置され、後側操作部１７が前側操作部１６よりも高所に位置している。そして、水栓レバー１５は、後側操作部１７を手動により上方から下方に揺動操作した際に弁手段を開放して吐水部１１（吐水口１３）からの吐水が行える一方、前側操作部１６を手動により下方に揺動操作した際に弁手段を閉止して吐水部１１からの吐水停止が行えるとともに、前側操作部１６及び後側操作部１７の下方への揺動操作量に応じて弁手段の開放量を調整して吐水部１１からの吐水量が調整されるようになっている。また、前側操作部１６及び後側操作部１７には、水栓レバー１５の上面より断面略円弧状に突出するゴム製のストッパ１８が取り付けられ、前側操作部１６及び後側操作部１７による手動操作時のスリップを防止している。
【００３４】
したがって、本実施の形態では、後側操作部１７を上方から下方へ揺動操作した際に弁手段を開放して吐水部１１からの吐水が行え、前側操作部１６を上方から下方へ揺動操作した際に弁手段を閉止して吐水部１１からの吐水停止が行えるとともに、前側操作部１６及び後側操作部１７の下方への揺動操作量に応じて弁手段の開放量を調整して吐水部１１からの吐水量が調整されるので、水栓レバー１５の前側操作部１６及び後側操作部１７に対し互いに同じ方向となる上方向からの揺動操作によって吐水部１１からの吐水及び吐水停止並びに吐水量の流量調整が行われる。このため、水栓レバー１５の上面に手の平を載せた状態で、指先と手の平の手首寄りとを利用して前側操作部１６及び後側操作部１７が共に上方から操作される。これにより、手の平を反転させて水栓レバー１５を上方又は下方から揺動操作するといった煩わしい動作が不要となり、身障者又は中腰の介助者による水栓レバー１５の揺動操作を簡単に行うことができる。
【００３５】
また、水栓レバー１５の上面が水栓装置本体１０の上面よりも高所に位置しているので、水栓レバー１５の前側操作部１６及び後側操作部１７の揺動操作が水栓装置本体１０と干渉することなく円滑に行うことができる。
【００３６】
しかも、水栓レバー１５の後傾状態に傾斜した配置によって、後側操作部１７が前側操作部１６よりも高所に位置しているので、前側操作部１６よりも遠くなる後側操作部１７が揺動操作し易くなり、後側操作部１７の揺動操作を無理なく簡単に行うことができる。
【００３７】
更に、水栓レバー１５がその前後両端間において均一な角度で下方へなだらかに湾曲しているので、水栓レバー１５の前後両端の前側操作部１６及び後側操作部１７が水栓レバー１５の上面において当該両操作部１６，１７の境目よりも操作し易い位置に露呈し、手の平以外の人体箇所での水栓レバー１５の揺動操作を簡単に行うことができる。
【００３８】
次に、本発明の第２の実施の形態を図５〜図８に基づいて説明する。
【００３９】
この実施の形態では、水栓装置の構成を変更している。図５は本発明の第２の実施の形態に係る水栓装置の斜視図、図６は水栓装置を前方から見た正面図、図７は水栓装置を右側方から見た側面図、図８は水栓装置を上方から見た平面図をそれぞれ示している。
【００４０】
すなわち、本実施の形態では、図５〜図８に示すように、水栓装置２は、前端部が斜め前方上向きに断面略半円弧状に突設された薄箱状の水栓装置本体２０を備え、図示しない浴室の壁面より前方へ突出するカウンターＣの縦面Ｃａに取り付けられている。水栓装置本体２０の前端部の左右方向中間位置には下方へ突出するカラン用の吐水部２１が設けられ、水栓装置本体２０の左側面の前端部に設けられた温度調節操作部２２の回転操作により温度調整された湯水が吐水部２１先端の吐水口２３から吐水される。
【００４１】
更に、水栓装置２は、吐水部からの吐水及び吐水停止を開閉量に応じて行う弁手段（図示せず）と、後述する突出部２９に設けられた支点２４を介して揺動自在に支持され、弁手段の開閉量を操作する水栓レバー２５とを備えている。この場合、水栓レバー２５と吐水部２１とは、互いに左右方向へ離間した位置に設けられている。
【００４２】
水栓レバー２５は、水栓装置本体２０の前端部より左側方へ突出する突出部２９の上面に設けられ、当該水栓レバー２５の上面が突出部２９及び水栓装置本体２０の上面よりも高所に位置している。水栓レバー２５は、前後方向の長さＬが長尺（例えば１２０ｍｍ）に、左右方向の幅Ｍが短尺（例えば５０ｍｍ）にそれぞれ設定され、前後方向に長い板状に形成されている。また、水栓レバー２５は、その前後方向中間部より下方へ突出する左右一対のブラケット２５１（図では一方のみ示す）を備え、この各ブラケット２５１を突出部２９の支点２４に対し前後揺動可能に支持している。更に、水栓レバー２５は、前後両端間において均一な角度で下方へなだらかに湾曲している。また、水栓レバー２５は、その前端及び後端から支点２４を通る揺動中心線ｎまでの距離がそれぞれＬ／２に設定され、前後方向中間部が支点２４に対し支持されている。
【００４３】
水栓レバー２５は、支点２４よりも前側に位置する前側操作部２６と、支点２４よりも後側に位置する後側操作部２７とを備えている。水栓レバー２５は、後傾状態に傾斜して配置され、後側操作部２７が前側操作部２６よりも高所に位置している。そして、水栓レバー２５は、後側操作部２７を手動により上方から下方に揺動操作した際に弁手段を開放して吐水部（吐水口）からの吐水が行える一方、前側操作部２６を手動により下方に揺動操作した際に弁手段を閉止して吐水部からの吐水停止が行えるとともに、前側操作部２６及び後側操作部２７の下方への揺動操作量に応じて弁手段の開放量を調整して吐水部からの吐水量が調整されるようになっている。また、前側操作部２６及び後側操作部２７には、水栓レバー２５の上面より断面略円弧状に突出するゴム製のストッパ２８が取り付けられ、前側操作部２６及び後側操作部２７による手動操作時のスリップを防止している。
【００４４】
したがって、本実施の形態では、後側操作部２７を上方から下方へ揺動操作した際に弁手段を開放して吐水部２１からの吐水が行え、前側操作部２６を上方から下方へ揺動操作した際に弁手段を閉止して吐水部２１からの吐水停止が行えるとともに、前側操作部２６及び後側操作部２７の下方への揺動操作量に応じて弁手段の開放量を調整して吐水部２１からの吐水量が調整されるので、水栓レバー２５の前側操作部２６及び後側操作部２７に対し同一となる上方向からの揺動操作によって吐水部２１からの吐水及び吐水停止並びに吐水量の流量調整が行われ、身障者又は中腰の介助者による水栓レバー２５の揺動操作を簡単に行うことができる。
【００４５】
しかも、水栓レバー２５の前後方向中間部が支点２４に対し支持されているので、水栓レバー２５の前側操作部２６及び後側操作部２７の前後方向の長さが同一となり、前側操作部２６及び後側操作部２７の揺動操作が同じ力で行える。これにより、身障者又は中腰の介助者による水栓レバー２５の揺動操作をより簡単に行うことができる。
【００４６】
更に、水栓レバー２５と吐水部２１とが互いに左右方向へ離間した位置に設けられているので、吐水部２１からの吐水を障害者が利用している場合に障害者と干渉しない右方向から介助者が水栓レバー２５を揺動操作し易くなり、中腰の介助者による水栓レバー２５の操作性を高めることができる。
【００４７】
次に、本発明の第３の実施の形態を図９〜図１２に基づいて説明する。
【００４８】
この実施の形態では、水栓装置の構成を変更している。図９は本発明の第３の実施の形態に係る水栓装置の斜視図、図１０は水栓装置を前方から見た正面図、図１１は水栓装置を右側方から見た側面図、図１２は水栓装置を上方から見た平面図をそれぞれ示している。
【００４９】
すなわち、本実施の形態では、図９〜図１２に示すように、水栓装置３は、前端部が斜め前方上向きに断面略半円弧状に突設された薄箱状の水栓装置本体３０を備え、図示しない浴室の壁面より前方へ突出するカウンターＣの縦面Ｃａに取り付けられている。また、水栓装置３は、水栓装置本体３０の前端部の左寄りの位置より下方へ突出するカラン用の吐水部３１と、図示しないシャワー用の吐水部とを有している。また、水栓装置３は、水栓装置本体３０の左側面の前端部に温度調節操作部３２を備え、この温度調節操作部３２により温度調整された湯水が吐水部３１先端の吐水口３３とシャワー用の吐水部とから吐水される。
【００５０】
更に、水栓装置３は、吐水部３１及びシャワー用の吐水部からの吐水及び吐水停止をそれぞれ独立して行えるように２つの弁手段と、これらの弁手段の開閉量を個別に操作する２つの水栓レバー３５Ｌ，３５Ｒとを備えている。各水栓レバー３５Ｌ，３５Ｒは、水栓装置本体３０にそれぞれ設けられた支点３４を介して揺動自在に支持されている。各水栓レバー３５Ｌ，３５Ｒは、水栓装置本体３０の前端部の上面において左右に並設され、当該各水栓レバー３５Ｌ，３５Ｒの上面が水栓装置本体３０の上面よりも高所に位置している。各水栓レバー３５Ｌ，３５Ｒは、前後方向の長さＬが長尺（例えば１２０ｍｍ）に、左右方向の幅Ｍが短尺（例えば５０ｍｍ）にそれぞれ設定され、前後方向に長い板状に形成されている。また、各水栓レバー３５Ｌ，３５Ｒは、その前後方向中間部より下方へ突出する左右一対のブラケット３５１（図では一方のみ示す）を備え、この各ブラケット３５１を水栓装置本体３０の支点３４に対し前後揺動可能に支持している。更に、各水栓レバー３５Ｌ，３５Ｒは、前後両端間において均一な角度で下方へなだらかに湾曲している。また、各水栓レバー３５Ｌ，３５Ｒは、それぞれの前端及び後端から支点３４を通る揺動中心線ｎまでの距離がそれぞれＬ／２に設定され、前後方向中間部が支点３４に対し支持されている。
【００５１】
各水栓レバー３５Ｌ，３５Ｒは、支点３４よりも前側に位置する前側操作部３６と、支点３４よりも後側に位置する後側操作部３７とを備えている。各水栓レバー３５Ｌ，３５Ｒ同士は、互いに左右方向へ所定距離（例えば、３０ｍｍ）だけ離間して設けられている。また、各水栓レバー３５Ｌ，３５Ｒは、後傾状態に傾斜して配置され、後側操作部３７が前側操作部３６よりも高所に位置している。そして、各水栓レバー３５Ｌ，３５Ｒは、後側操作部３７を手動により上方から下方に揺動操作した際に対応する弁手段を個別に開放してカラン用の吐水部３１（吐水口３３）又はシャワー用の吐水部からの吐水が行える一方、前側操作部３６を手動により下方に揺動操作した際に対応する弁手段を閉止してカラン用の吐水部３１又はシャワー用の吐水部からの吐水停止が行えるとともに、前側操作部３６及び後側操作部３７の下方への揺動操作量に応じて対応する弁手段の開放量を調整してカラン用の吐水部３１又はシャワー用の吐水部からの吐水量が調整されるようになっている。また、前側操作部３６及び後側操作部３７には、水栓レバー３５の上面より断面略円弧状に突出するゴム製のストッパ３８が取り付けられ、前側操作部３６及び後側操作部３７による手動操作時のスリップを防止している。
【００５２】
したがって、本実施の形態では、各水栓レバー３５Ｌ，３５Ｒのいずれにおいても、後側操作部３７を上方から下方へ揺動操作した際に対応する弁手段を開放してカラン用の吐水部３１又はシャワー用の吐水部からの吐水が行え、前側操作部３６を上方から下方へ揺動操作した際に対応する弁手段を閉止してカラン用の吐水部３１又はシャワー用の吐水部からの吐水停止が行えるとともに、前側操作部３６及び後側操作部３７の下方への揺動操作量に応じて対応する弁手段の開放量を調整してカラン用の吐水部３１又はシャワー用の吐水部からの吐水量が調整されるので、カラン用とシャワー用といった２つの吐水部３１からの吐水及び吐水停止並びに吐水量の流量調整をそれぞれ独立した水栓レバー３５Ｌ，３５Ｒの前側操作部３６及び後側操作部３７に対し互いに同じ方向となる上方向からの揺動操作によって行える。このため、水栓レバー３５Ｌ，３５Ｒの上面に手の平を載せた状態で、指先と手の平の手首寄りとを利用して前側操作部３６及び後側操作部３７が共に上方から操作される。これにより、手の平を反転させて水栓レバー３５Ｌ，３５Ｒを上方又は下方から揺動操作するといった煩わしい動作が不要となり、身障者又は中腰の介助者による水栓レバー３５Ｌ，３５Ｒの揺動操作を簡単に行うことができる。
【００５３】
しかも、左右の水栓レバー３５Ｌ，３５Ｒ同士が互いに左右方向へ離間して設けられているので、カラン用の吐水部３１又はシャワー用の吐水部から吐水及び吐水停止する際にそれぞれ独立した水栓レバー３５Ｌ，３５Ｒによる誤った揺動操作が防止され、カラン用の吐水部３１又はシャワー用の吐水部からの吐水及び吐水停止を円滑に行うことができる。
【００５４】
なお、本発明は、前記各実施の形態に限定されるものではなく、その他種々の変形例を包含している。例えば、前記第３の実施の形態では、各水栓レバー３５Ｌ，３５Ｒをそれぞれ前後両端間において均一な角度で下方へなだらかに湾曲させたが、図１３に示すように、各水栓レバー４１Ｌ，４１Ｒがそれぞれの前後両端間において真っ直ぐに延びて直線状に形成されていてもよい。また、図１４に示すように、各水栓レバー４２Ｌ，４２Ｒが、前側操作部３６及び後側操作部３７を直線状に形成するとともに両操作部３６，３７の境目で折曲させて略くの字状に形成されていてもよい。更に、図１５に示すように、各水栓レバー４３Ｌ，４３Ｒが前後両端間において均一な角度で上方へなだらかに湾曲していてもよく、その場合には、各水栓レバー４３Ｌ，４３Ｒの上面が手の平に馴染み易くなり、指先と手の平の手首寄りとを利用して前側操作部３６及び後側操作部３７の下方への揺動操作をスムーズに行うことが可能となる。
【００５５】
また、前記各実施の形態では、水栓レバー１５，２５，３５Ｌ，３５Ｒを前後両端間において均一な角度で下方へなだらかに湾曲させたが、水栓レバーの上面のみが前後両端間において均一な角度で下方又は上方へなだらかに湾曲していてもよい。
【００５６】
また、前記第３の実施の形態では、カラン用の吐水部３１又はシャワー用の吐水部からの吐水及び吐水停止を左右２つの各水栓レバー３５Ｌ，３５Ｒにより行うようにしたが、３つ以上の吐水部からの吐水及び吐水停止が３つ以上の水栓レバーにより行われるようにしてもよい。更に、前記第３の実施の形態では、左右２つの各水栓レバー３５Ｌ，３５Ｒを同じ形状に形成したが、互いに異なる形状であってもよく、その場合には、各水栓レバーを目視により区別でき、各水栓レバーの揺動操作の間違いによって、誤った吐水部からの吐水及び吐水停止が行われることを確実に防止することが可能となる。
【００５７】
また、前記第１及び第２の実施の形態では、水栓装置本体１０，２０の前端部の左右方向中間位置に下方へ突出するカラン用の吐水部１１，２１を設けたが、カウンターの縦面における水栓装置本体の左側方（又は右側方）へ離間した位置にカラン用の吐水部が設けられていてもよい。このように、水栓装置本体の水栓レバーと吐水部とが互いに左右方向へ離間した位置に設けられていることで、吐水部からの吐水を障害者が利用している場合に障害者と干渉しない左右方向から介助者が水栓レバーを揺動操作し易くなり、中腰の介助者による水栓レバーの操作性を同様に高めることが可能となる。
【００５８】
また、前記各実施の形態では、水栓レバー１５，２５，３５Ｌ，３５Ｒを左右方向の幅Ｍとしたが、前側操作部及び後側操作部を両操作部の境部分（支点に対応する部位）よりも幅広に形成されていてもよい。その場合には、前側操作部及び後側操作部が揺動操作し易くなり、前側操作部及び後側操作部の操作性を高めることが可能となる。
【００５９】
また、前記各実施の形態では、後側操作部１７，２７，３７を下方へ揺動操作した際に吐水部１１，３１からの吐水を行い、前側操作部１６，２６，３６を下方へ揺動操作した際に吐水部１１，３１からの吐水停止を行うようにしたが、後側操作部を上方へ揺動操作した際に吐水部からの吐水が行え、前側操作部を上方へ揺動操作した際に吐水部からの吐水停止が行えるようにしてもよい。また、前側操作部を上方又は下方へ揺動操作した際に吐水部からの吐水が行え、後側操作部を上方又は下方へ揺動操作した際に吐水部からの吐水停止が行えるようにしてもよい。
【００６０】
また、前記各実施の形態では、前側操作部１６，２６，３６及び後側操作部１７，２７，３７に、水栓レバー１５，２５，３８の上面より断面略円弧状に突出するゴム製のストッパ１８，２８，３８を取り付けたが、前側操作部及び後側操作部に水栓レバーの上面より一体的に突出するストッパが設けられていてもよい。この場合、ストッパとしては、断面略円弧状に限定されるものではなく、複数の凸状又は凹状のものであってもよい。
【００６１】
更に、前記各実施の形態では、水栓装置１〜３を浴室の壁面より前方へ突出するカウンターＣの縦面Ｃａに取り付けたが、洗面台の前壁面や屋外の手洗い台の前壁面などに水栓装置が取り付けられていてもよい。
【符号の説明】
【００６２】
１      水栓装置
１０    水栓装置本体
１１    吐水部
１４    支点
１５    水栓レバー
１６    前側操作部
１７    後側操作部
２      水栓装置
２０    水栓装置本体
２１    吐水部
２４    支点
２５    水栓レバー
２６    前側操作部
２７    後側操作部
３      水栓装置
３０    水栓装置本体
３１    吐水部
３４    支点
３５    水栓レバー
３６    前側操作部
３７    後側操作部
４１Ｌ，４１Ｒ  水栓レバー
４２Ｌ，４２Ｒ  水栓レバー
４３Ｌ，４３Ｒ  水栓レバー
【図１】
2015094156.tif 000003
【図２】
2015094156.tif 000004
【図３】
2015094156.tif 000005
【図４】
2015094156.tif 000006
【図５】
2015094156.tif 000007
【図６】
2015094156.tif 000008
【図７】
2015094156.tif 000009
【図８】
2015094156.tif 000010
【図９】
2015094156.tif 000011
【図１０】
2015094156.tif 000012
【図１１】
2015094156.tif 000013
【図１２】
2015094156.tif 000014
【図１３】
2015094156.tif 000015
【図１４】
2015094156.tif 000016
【図１５】
2015094156.tif 000017